(57)【特許請求の範囲】
【請求項１】
固定部材１０と、制動ゴム片２０と、シャッター本体４とを有し、
固定部材１０はシャッター本体４と対応する上縁部材に設置され、その下端に断面Ｃ形状を呈する収容部１００が設けられ、その収容部１００の末端上方に開口部１０１が形成され、
制動ゴム片２０の一端に外径が収容部１００の内径より小さく、開口部１０１の幅より大きい回動棒２００が設けられ、その回動棒２００の円周面上に外方へ延出するにつれて徐々に厚さが薄くなる延出片２０１が設けられると共に、回動棒２００は延出片２０１が開口部１０１から外部へ延出するように収容部１００内に挿設され、その時、回動棒２００から延出片２０１の自由端までの延出距離は、収容部１００における開口部１０１からシャッター本体４までの距離より長く、
複数のスラット部材４０を連結して成るシャッター本体４には、シャッターのスラット部材４０を完全に閉めた時に制動ゴム片２０と対応する制動ブロック４１が設けられ、
制動ゴム片２０における延出片２０１の自由端は、シャッターのスラット部材４０を完全に閉めた時、制動ブロック４１に押圧されると共に、下方へ回動して、シャッター本体４のスラット部材４０と密接することを特徴とするシャッター用防水装置。
【請求項２】
固定部材１０の両側上端に夫々弾性部材３０の一端が設置されると共に、他端は制動ゴム片２０に設置され、固定部材１０における収容部１００内に挿設される制動ゴム片２０の回動棒２００は金属丸棒であることを特徴とする請求項１に記載のシャッター用防水装置。
【請求項３】
制動ゴム片２０における延出片２０１の両側及び固定部材１０の両側に夫々固定凸部２１及び固定凸部１０２が設けられ、それら固定凸部２１と固定凸部１０２との間に弾性部材３０が架設されると共に、延出片２０１の両側及び固定部材１０の両側における固定凸部２１，１０２は夫々回動棒２００及び収容部１００から一定距離離間して設けられることを特徴とする請求項２に記載のシャッター用防水装置。
【発明の詳細な説明】
【０００１】
【発明の属する技術分野】
本発明は、特に車両や建築物、船舶などにおけるシャッターに設置して、シャッター本体の開閉に影響を与えずに防水効果を提供するシャッター用防水装置に関するものである。
【０００２】
【従来の技術】
一般に従来のシャッターを設置する場合は、その設置個所である窓やドアの左右両側にゴムやプラスチック材質などから成る部材を設けることにより雨水などの浸入を防止しているが、車両や建築物、船舶にシャッターを設置する場合、窓やドアにおける設置個所の内、ゴムやプラスチックなどの防水部材が設けられるのは、車両、建築物、船舶本体の左右両側だけであり、上縁部材には設けられていないので、その上縁部材から内部に雨水などが浸入し易い。
【０００３】
その後、窓やドアの左右両側以外に、上縁部材にも防水部材が設けられるようになったが、シャッター本体と、車両、建築物或いは船舶本体の窓やドアの上縁とが平行状態ではなく、シャッター本体と窓やドアの上縁部材の両側に間隙ができてしまうため、優れた防水効果が達成できない。
【０００４】
本発明は上記の課題を解決するものであり、固定部材と、制動ゴム片と、シャッター本体とを有し、固定部材はシャッター本体と対応する上縁部材に設置され、その下端に断面Ｃ形状を呈する収容部が設けられ、その収容部の末端上方に開口部が形成され、制動ゴム片の一端に外径が収容部の内径より小さく、開口部の幅より大きい回動棒が設けられ、その回動棒の円周面上に外方へ延出するにつれて徐々に厚さが薄くなる延出片が設けられると共に、回動棒は延出片が開口部から外部へ延出するように収容部内に挿設され、その時、回動棒から延出片の自由端までの延出距離は、収容部における開口部からシャッター本体までの距離より長く、複数のスラット部材を連結して成るシャッター本体には、シャッターのスラット部材を完全に閉めた時に制動ゴム片と対応する制動ブロックが設けられ、更に、固定部材の両側上端に夫々弾性部材の一端が設置されると共に、他端は制動ゴム片に設置されるので、シャッターにおけるスラット部材を完全に閉めた時、制動ゴム片における延出片の自由端が、制動ブロックに押圧されると共に、下方へ回動して、スラット部材と密接することにより、防水効果を達成することができる。また、シャッター本体を開ける時は、制動ゴム片がスラット部材の制動ブロックによる押圧解除でスラット部材との間の密接状態が解除されると共に、弾性部材の付勢力で上方へ旋回されて方向転換することにより、スラット部材との間に隙間ができるので、スラット部材の昇降動作が可能になる。従って、シャッターの開閉に影響を与えることはない。
【０００５】
【課題を解決するための手段】
本発明に係るシャッター用防水装置は、固定部材１０と、制動ゴム片２０と、シャッター本体４とを有し、固定部材１０はシャッター本体４と対応する上縁部材に設置され、その下端に断面Ｃ形状を呈する収容部１００が設けられ、その収容部１００の末端上方に開口部１０１が形成され、制動ゴム片２０の一端に外径が収容部１００の内径より小さく、開口部１０１の幅より大きい回動棒２００が設けられ、その回動棒２００の円周面上に外方へ延出するにつれて徐々に厚さが薄くなる延出片２０１が設けられると共に、回動棒２００は延出片２０１が開口部１０１から外部へ延出するように収容部１００内に挿設され、その時、回動棒２００から延出片２０１の自由端までの延出距離は、収容部１００における開口部１０１からシャッター本体４までの距離より長く、複数のスラット部材４０を連結して成るシャッター本体４には、シャッターのスラット部材４０を完全に閉めた時に制動ゴム片２０と対応する制動ブロック４１が設けられ、制動ゴム片２０における延出片２０１の自由端は、シャッターのスラット部材４０を完全に閉めた時、制動ブロック４１に押圧されると共に、下方へ回動して、シャッター本体４のスラット部材４０と密接することを特徴とする。
【０００６】
【発明の実施の形態】
以下、添付図面を参照して本発明の好適な実施の形態を詳細に説明する。
図１は本発明に係わるシャッター用防水装置の分解斜視図であり、図２は本発明に係わるシャッター用防水装置における制動ゴム片が下向きに方向を変え、スラット部材と密接した状態を示す側面断面図であり、図３は本発明に係わるシャッター用防水装置における制動ゴム片がスラット部材の制動ブロックによる押圧によりスラット部材との間の密接状態が解除され、弾性部材の付勢力で上方へ旋回し方向転換した状態を示す側面断面図であり、図４は本発明に係わるシャッター用防水装置をシャッターに設置した場合の側面断面図である。
【０００７】
図１に示すように、本発明のシャッター用防水装置は、シャッター本体４（図４参照）に対応する上縁部材に設置される固定部材１０を有し、該固定部材１０の下端に断面Ｃ形状を呈する収容部１００が設けられ、収容部１００の末端上方に開口部１０１が形成されると共に、該開口部１０１内には所定の角度の旋回となる回動自在に制動ゴム片２０の回動棒２００が挿設される。
【０００８】
前記制動ゴム片２０を収容部１００に挿設する場合は、制動ゴム片２０における円柱状の回動棒２００の一端を収容部１００における開口部１０１の一端から挿入する。この時、回動棒２００の外径は収容部１００の内径より小さく、開口部１０１の幅より大きいので、スムーズに挿入させることができ、開口部１０１から脱落することもない。更に、回動棒２００の周面上には外方へ延出するにつれて厚さが薄くなる延出片２０１が設けられ、該延出片２０１の両側における回動棒２００から一定距離離間した個所に夫々固定凸部２１が設けられると共に、回動棒２００から延出片２０１までの距離は開口部１０１からスラット部材４０までの距離より長く設定され、また、前記固定部材１０の両側における収容部１００から一定距離離間した位置に夫々固定凸部１０２が設けられると共に、固定凸部１０２と固定凸部２１との間に弾性部材３０が架設される。
そして、前記固定部材１０の収容部１００内に制動ゴム片２０における円柱状の回動棒２００が組合される時、回動棒２００の周面上に設けられる延出片２０１は収容部１００における開口部１０１から延出する。
【０００９】
図１及び図２に示すように、複数のスラット部材４０を連結して成るシャッター本体４には、スラット部材４０を完全に閉めた時に制動ゴム片２０と対応する制動ブロック４１が設けられる。従って、このスラット部材４０を完全に閉めた時、制動ゴム片２０の延出片２０１は制動ブロック４１に押圧されると共に、下方へ回動して、シャッター本体４のスラット部材４０の表面と密接するので、優れた防水効果を達成できる。また、制動ゴム片２０における延出片２０１はシャッター本体４を完全に閉めて、最後のスラット部材４０における制動ブロック４１が該延出片２０１の自由端を押圧する時だけ作動する。
【００１０】
図１乃至図３に示すように、前記シャッター本体４を開ける時は、制動ゴム片２０がスラット部材４０の制動ブロック４１による押圧解除によりスラット部材４０との間の密接状態が解除され、弾性部材３０の付勢力で上方へ旋回し方向転換することにより、スラット部材４０との間に隙間ができるので、スラット部材４０が図３に示す仮想線の位置まで上昇可能になる。
【００１１】
図４に示すように、前記シャッター本体４を開ける時は、制動ゴム片２０における延出片２０１が上方に持ち上げられ、延出片２０１の自由端とスラット部材４０との間に間隙が形成されるので、延出片２０１とスラット部材４０との接触による摩擦力の影響を受けることはない。
【００１２】
更に、前記制動ゴム片２０における回動棒２００から延出片２０１の自由端までの距離は収容部１００からシャッター本体４までの間隔距離より長いので、スラット部材４０とシャッター本体４を設置する上縁部材とが完全に平行状態でなくても、制動ゴム片２０の延出片２０１はスラット部材４０と密接することができ、また、延出片２０１は弾性部材３０の付勢力及びスラット部材４０の押圧解除によりスラット部材４０表面より開離可能となる。
【００１３】
また、前記制動ゴム片２０における円柱状の回動棒２００は先ず略円筒状の金属管内に設置され、その後、該略円筒状の金属管が固定部材１０における収容部１００内に挿設される。この時、制動ゴム片２０における延出片２０１は固定部材１０における開口部１０１から延出するように構成されるので、収容部１００内から回動棒２００が脱落することはなく、回動動作をスムーズに行わせることができる。
【００１４】
【発明の効果】
本発明は上記の構成を有し、固定部材と、制動ゴム片と、シャッター本体とを有し、固定部材はシャッター本体と対応する上縁部材に設置され、その下端に断面Ｃ形状を呈する収容部が設けられ、その収容部の末端上方に開口部が形成され、制動ゴム片の一端に外径が収容部の内径より小さく、開口部の幅長より長い回動棒が設けられ、その回動棒の円周面上に外方へ延出するにつれて徐々に厚さが薄くなる延出片が設けられると共に、回動棒は延出片が開口部から外部へ延出するように収容部内に挿設され、その時、回動棒から延出片の自由端までの延出距離は、収容部における開口部からシャッター本体までの距離より長く、複数のスラット部材を連結して成るシャッター本体には、シャッターのスラット部材を完全に閉めた時に制動ゴム片と対応する制動ブロックが設けられ、更に、固定部材の両側上端に夫々弾性部材の一端が設置されると共に、他端は制動ゴム片に設置されるので、シャッターにおけるスラット部材を完全に閉めた時、制動ゴム片における延出片の自由端が、制動ブロックに押圧されると共に、下方へ回動して、スラット部材と密接することにより、防水効果を達成することができる。
また、シャッター本体を開ける時は、制動ゴム片がスラット部材の制動ブロックによる押圧解除でスラット部材との間の密接状態が解除されると共に、弾性部材の付勢力で上方へ旋回し方向転換することにより、スラット部材との間に隙間ができるので、スラット部材の昇降動作が可能になる。従って、シャッターの開閉に影響を与えることはない。
【図面の簡単な説明】
【図１】本発明に係わるシャッター用防水装置の分解斜視図である。
【図２】本発明に係わるシャッター用防水装置における制動ゴム片が下向きに方向を変え、スラット部材と密接した状態を示す側面断面図である。
【図３】本発明に係わるシャッター用防水装置における制動ゴム片がスラット部材の制動ブロックによる押圧によりスラット部材との間の密接状態が解除され、弾性部材の付勢力で上方へ方向転回した状態を示す側面断面図である。
【図４】本発明に係わるシャッター用防水装置をシャッターに設置した場合の側面断面図である。
【符号の説明】
１０          固定部材
１００        収容部
１０１        開口部
１０２        固定凸部
２０          制動ゴム片
２００        回動棒
２０１        延出片
２１          固定凸部
３０          弾性部材
４            シャッター本体
４０          スラット部材
４１          制動ブロック
【図１】
0003581966.tif 000002
【図２】
0003581966.tif 000003
【図３】
0003581966.tif 000004
【図４】
0003581966.tif 000005